(57)【要約】【課題】配線構造を簡略化することができ施工が容易な照明装置およびコネクタを提供することを課題とする。【解決手段】実施形態に係るコネクタ３０は、電源線３１を接続する第１端子３２と、回路基板５１に実装可能であるとともに、電源線３１の配線方向に沿って第１端子３２と摺動可能に接続した第２端子３４と、第１端子３２を固定し且つ第２端子３４を移動可能に収容したケース３６と、を有する。【選択図】      図６
2019061815.tif 000002
【特許請求の範囲】
【請求項１】
電線を接続する第１端子と；
基板に実装可能であるとともに、前記電線の配線方向に沿って前記第１端子と摺動可能に接続した第２端子と；
前記第１端子を固定し且つ前記第２端子を移動可能に収容したケースと；
を有するコネクタ。
【請求項２】
前記基板を取り付けた筐体に前記ケースを固定する固定具をさらに有する、
請求項１のコネクタ。
【請求項３】
前記固定具は、前記筐体に前記ケースを締結固定するアースネジである、
請求項２のコネクタ。
【請求項４】
前記ケースは、前記基板と非接触状態で設けられる、
請求項１のコネクタ。
【請求項５】
光源を有する灯体と；
被取付面に固定されて前記灯体を着脱可能に取り付ける本体と；
前記本体に取り付けられて前記灯体に給電する電源装置と；
前記被取付面から配線される電源線を前記電源装置の基板に接続するコネクタと；を有し、
前記コネクタは、
前記電源線を接続する第１端子と；
前記基板に実装され、前記電源線の配線方向に沿って前記第１端子と摺動可能に接続した第２端子と；
前記第１端子を固定し且つ前記第２端子を移動可能に収容したケースと；
前記基板を取り付けた前記電源装置の筐体に前記ケースを固定する固定具と；を有する、
照明装置。
【請求項６】
前記固定具は、前記筐体に前記ケースを締結固定するアースネジである、
請求項５の照明装置。
【請求項７】
前記ケースは、前記基板と非接触状態で設けられる、
請求項５の照明装置。
【発明の詳細な説明】
【技術分野】
【０００１】
本発明の実施形態は、例えば、電源線を電源装置に接続するコネクタ、およびこのコネクタを備えた照明装置に関する。
【背景技術】
【０００２】
例えば、天井に取り付けるベースライトは、天井に固設する器具本体と、器具本体に対して着脱可能に取り付ける光源ユニットと、を有する。器具本体は、天井から配線される電源線を接続する端子台を備えている。光源ユニットは、例えばＬＥＤモジュールを備え、ＬＥＤモジュールに給電するための電源ユニットを有する。電源ユニットには、端子台から導出された電線の先端に設けたプラグコネクタが接続される。
【先行技術文献】
【特許文献】
【０００３】
【特許文献１】特開２０１６−５１６５１号公報
【発明の概要】
【発明が解決しようとする課題】
【０００４】
上述した従来のベースライトの配線構造を簡略化するため、理想的には、天井から配線される電源線を電源ユニットに直接接続することが望ましい。しかし、上述した従来のベースライトは、光源ユニット側に電源ユニットを有するため、電源線を一旦端子台に接続して端子台と電源ユニットを電線で接続する必要があり、電源線を直接電源ユニットに接続することができない。つまり、端子台と電源ユニットをつなぐ電線は、本来不要な構成であり、装置の製造コストを増大させる要因の１つとなっている。
【０００５】
また、上述した従来のベースライトは、光源ユニット側に電源ユニットを有するため、その分、光源ユニットが重くなり、光源ユニットの交換や取り付け作業時における作業性が悪くなる。
【０００６】
よって、配線構造を簡略化することができ施工が容易な照明装置およびコネクタの開発が望まれている。
【課題を解決するための手段】
【０００７】
実施形態に係るコネクタは、電線を接続する第１端子と、基板に実装可能であるとともに、電線の配線方向に沿って第１端子と摺動可能に接続した第２端子と、第１端子を固定し且つ第２端子を移動可能に収容したケースと、を有する。
【０００８】
また、実施形態に係る照明装置は、光源を有する灯体と、被取付面に固定されて灯体を着脱可能に取り付ける本体と、本体に取り付けられて灯体に給電する電源装置と、被取付面から配線される電源線を電源装置の基板に接続するコネクタと、を有する。そして、コネクタは、電源線を接続する第１端子と、基板に実装され、電源線の配線方向に沿って第１端子と摺動可能に接続した第２端子と、第１端子を固定し且つ第２端子を移動可能に収容したケースと、基板を取り付けた電源装置の筐体にケースを固定する固定具と、を有する。
【発明の効果】
【０００９】
実施形態によると、配線構造を簡略化することができ施工が容易な照明装置およびコネクタを提供することができる。
【図面の簡単な説明】
【００１０】
【図１】図１は、実施形態に係る照明装置を示す外観斜視図である。
【図２】図２は、図１の照明装置の本体を示す斜視図である。
【図３】図３は、図１の照明装置の灯体を本体側から見た斜視図である。
【図４】図４は、図３の灯体の分解斜視図である。
【図５】図５は、図２の電源装置に電源線を接続するコネクタの平面図である。
【図６】図６は、図５のコネクタをＦ６−Ｆ６に沿って切断した断面図である。
【図７】図７は、図６のコネクタを電源基板に実装する前の状態を示す断面図である。
【発明を実施するための形態】
【００１１】
以下、図面を参照しながら、実施形態について詳細に説明する。  
図１は、実施形態に係る照明装置１００を示す斜視図であり、図２は、この照明装置１００の本体１０を示す斜視図であり、図３は、照明装置１００の灯体２０を本体１０側から見た斜視図であり、図４は、灯体２０の分解斜視図である。図１に示すように、照明装置１００は、天井や壁などの被取付面１に取り付ける本体１０、および本体１０に対して着脱可能に取り付ける灯体２０を有する。以下の説明では、照明装置１００は、天井に取り付けるものとする。
【００１２】
図２に示すように、本体１０は、図示しないネジ等により被取付面１に固定されるシャーシ４を有する。シャーシ４の被取付面１から離間した表面側には、灯体２０を取り付けるための凹部１０ａが設けられている。また、本体１０は、凹部１０ａ内に、電源装置５、および２つの取付金具７を有する。図２では図示を省略してあるが、凹部１０ａ内には、後述するコネクタ３０が取り付けられる。
【００１３】
電源装置５は、天井から配線される電源線３１（後述する）を介して供給される電力を灯体２０に対応させた電力に変換する。電源装置５は、コネクタ３０を取り付ける回路基板５１（後述する）を有するとともに、灯体２０に接続可能な配線（図示せず）を有し、変換した電力を配線を介して灯体２０へ供給する。２つの取付金具７は、本体１０の長手方向に離間して灯体２０に向けて突出して設けられている。
【００１４】
図３に示すように、灯体２０は、本体１０の凹部１０ａに取り付けられるフレーム２２を有する。フレーム２２の本体１０に対向する裏面側には、２つのトーションバネ１２が取り付けられている。２つのトーションバネ１２は、それぞれ、本体１０に設けた２つの取付金具７に対応して設けられている。
【００１５】
灯体２０を本体１０に取り付ける場合、まず、灯体２０の裏面に設けた２つのトーションバネ１２をそれぞれ本体１０の２つの取付金具７に引っ掛ける。そして、この状態（灯体２０と本体１０の間に隙間がある状態）で、本体１０の電源装置５から導出された配線の図示しないコネクタと灯体２０側の図示しないコネクタを接続する。この後、トーションバネ１２をスライドさせつつ灯体２０を本体１０に押し込んで、トーションバネ１２の復元力により、灯体２０を本体１０に向けて付勢して取り付ける。
【００１６】
図４に示すように、灯体２０は、フレーム２２、基板２４、カバー２６、および２つの端板２８を有する。フレーム２２は、比較的長尺の矩形の１枚の金属板を形状加工して形成されている。フレーム２２は、短手方向の中央に基板２４を保持する基板保持部２２ａを有する。
【００１７】
基板２４は、比較的長尺な矩形板状に形成された単位基板を長手方向に複数枚（本実施形態では４枚）連結した構造を有する。単位基板の枚数は任意に設定可能であり、１枚の単位基板によって基板２４を構成してもよい。いずれにしても、基板２４の長さは、フレーム２２の長さよりわずかに短い。
【００１８】
基板２４のフレーム２２から離間した表面２４ａには、複数の発光素子１４が長手方向に離間して２列に実装されている。また、基板２４の表面２４ａには、複数の発光素子１４を接続した図示しない配線パターンが設けられている。発光素子１４は、例えば配線パターンに接続したＬＥＤチップを樹脂により基板２４の表面２４ａに封止して形成されている。また、基板２４の長手方向の一端には、複数の発光素子１４に給電するためのコネクタ１６が取り付けられている。
【００１９】
カバー２６は、樹脂材料の押出し成形により形成される。カバー２６は、押出し方向（すなわち長手方向）に沿った中央部がドーム状に膨出した断面形状を有する。カバー２６の長手方向に沿った両端縁部には、それぞれ、フレーム２２に係合する係合部２６ａが設けられている。すなわち、係合部２６ａは、カバー２６の全長にわたって連続して設けられている。
【００２０】
２つの端板２８は、同じ構造を有し、互いに１８０°反転した向きで取り付けられる。２つの端板２８は、樹脂により形成されており、例えば超音波溶接によりカバー２６の長手方向の両端に固定され、カバー２６の長手方向の端部を塞ぐ。端板２８は、図３に示すように、カバー２６の両端の略全体に重なる。これら一対の端板２８は、フレーム２２の基板保持部２２ａで保持した基板２４が長手方向に移動したとき、基板２４の長手方向に沿った両端にそれぞれ当接し、基板２４の長手方向に沿った移動を規制するように機能する。
【００２１】
以下、天井の被取付面１から配線された電源線３１（電線）を本体１０の凹部１０ａに固定した電源装置５の回路基板５１（基板）に接続するコネクタ３０について、図５乃至図７を参照して説明する。図５は、コネクタ３０を灯体２０側から見た平面図であり、図６は、図５のコネクタ３０をＦ６−Ｆ６で切断した断面図であり、図７は、図６のコネクタ３０を電源装置５の回路基板５１に実装する前の状態を示す断面図である。
【００２２】
コネクタ３０は、電源線３１を接続する第１端子３２（給電端子）、回路基板５１に実装可能であるとともに第１端子３２と摺動可能に接続する第２端子３４、および第１端子３２を固定し、且つ第２端子３４を移動可能に（非接触状態で）収容したケース３６を有する。第１および第２端子３２、３４は、銅板などの金属板により形成されており、ケース３６は、例えば樹脂により形成されている。
【００２３】
第１および第２端子３２、３４は、図５に示すように、回路基板５１と平行に互いに離間して同じ構造のものが２組設けられており、ケース３６によって保持されている。一方、回路基板５１に設けた切り欠き部５２も、回路基板５１の端辺に沿って同じ形状のものが２つ設けられている。よって、以下の説明では、一方の組の第１および第２端子３２、３４について代表して説明し、もう一方の組の第１および第２端子３２、３４についての説明を省略する。また、切り欠き部５２の形状についても一方のみ説明する。
【００２４】
コネクタ３０のケース３６は、回路基板５１を内部に収容した電源装置５の筐体の底壁５０とともに、アースネジ６０（固定具）により、本体１０のシャーシ４（凹部１０ａの底壁）に共締めにより締結固定される。つまり、アースネジ６０によってコネクタ３０のケース３６が本体１０に固定されるとともに第１端子３２が本体１０に固定され、同時に電源装置５が本体１０に締結固定される。アースネジ６０は、電源装置５を接地するとともに、コネクタ３０を接地する。
【００２５】
本実施形態では、アースネジ６０は、ケース３６の灯体２０側から挿通孔３６ａを通して挿通され、シャーシ４に締結されている。これにより、コネクタ３０の取り付け作業を灯体２０側から実施することができ、作業性を向上させることができる。しかし、アースネジ６０は、シャーシ４の裏側から挿通してコネクタ３０のケース３６に締結してもよい。また、アースネジ６０の代りにシャーシ４の一部を切り起こして底壁５０およびケース３６の一部をカシメによりシャーシ４に固定してもよい。
【００２６】
電源装置５の筐体の底壁５０の図示左端には、シャーシ４の係合孔４ａに係合する係合爪５０ａが設けられている。係合爪５０ａは、底壁５０の端部を形状加工して折り曲げて形成され、その先端が係合孔４ａを介してシャーシ４の裏側へ導出され、シャーシ４の裏面と平行にされる。電源装置５の筐体をシャーシ４に取り付ける場合、底壁５０の係合爪５０ａをシャーシ４の係合孔４ａに差し込んで、底壁５０の他端側を上述したアースネジ６０でシャーシ４に締結固定する。
【００２７】
第１端子３２は、電源線３１の金属芯線３１ａを受け入れて電気的および機械的に接続する結線部３２ａ、および第２端子３４に差し込んで第２端子３４と電気的に接続する挿入板部３２ｂを一体に有する。第１端子３２は、電源線３１の差し込み方向（電源線３１の配線方向）と同じ方向に挿入板部３２ｂが伸びる構造であればよく、その形状は種々変更可能である。
【００２８】
結線部３２ａは、電源線３１の金属芯線３１ａが圧入されて、その後、引き抜き不能となる構造を有する。挿入板部３２ｂは、電源装置５の回路基板５１と直交する面であって電源線３１の差し込み方向と平行な面に沿って延設されている。挿入板部３２ｂは、回路基板５１と平行に延びたピン形状であってもよい。
【００２９】
ケース３６は、第１端子３２の結線部３２ａを埋設して固定し、第１端子の挿入板部３２ｂの先端側の一部を露出する。ケース３６の電源線３１の差し込み側（図示右側）の端面３６ｂには、電源線３１の金属芯線３１ａを受け入れて第１端子３２の結線部３２ａへ導く２つの連通孔３６ｃ、３６ｃが形成されている。連通孔３６ｃは、端面３６ｂから結線部３２ａに向けて徐々に縮径する内面を有する。
【００３０】
ケース３６は、シャーシ４に対向する裏面側で端面３６ｂから離間した位置に凹部３７を有する。凹部３７は、図５および図６に示すようにコネクタ３０をシャーシ４に締結固定した状態で、電源装置５の回路基板５１および回路基板５１に後述するように実装した第２端子３４にケース３６が非接触状態となる形状および大きさを有する。凹部３７には、第１端子３２の挿入板部３２ｂの先端が露出して配置される。そして、図７に示すように、この露出した挿入板部３２ｂの先端に第２端子３４が接続される。この状態で、第２端子３４も、ケース３６に非接触状態となる。
【００３１】
第２端子３４は、互いに平行に対向する２枚の板バネ部３４ａ、３４ａ、２枚の板バネ部３４ａ、３４ａの一端をつないだ接続板部３４ｂ、および接続板部３４ｂから板バネ部と反対方向に突出した接続片３４ｃを一体に有する。２枚の板バネ部３４ａ、３４ａは、互いに近付く方向にくの字に折れ曲がったくびれ部３４ｄを有する。第１端子３２の挿入板部３２ｂは、このくびれ部３４ｄを押し広げるように例えば２枚の板バネ部３４ａ、３４ａの先端側から挿入される。挿入板部３２ｂをくびれ部３４ｄに押し込んで第２端子３４を第１端子３２の挿入板部３２ｂに取り付けた状態を図７に示す。
【００３２】
電源装置５の回路基板５１のコネクタ３０に近い側の端縁には、第２端子３４を取り付けるための切り欠き５２が形成されている。切り欠き部５２は、回路基板５１を貫通して形成されている。切り欠き部５２は、図５および図６に示すようにコネクタ３０をシャーシ４に固定した状態で、第２端子３４の板バネ部３４ａ、３４ａ、および接続板部３４ｂを嵌合する略矩形の収容部５２ａと、第２端子３４のくびれ部３４ｄに差し込んだ第１端子３２の挿入板部３２ｂを挿通するスリット状の挿通部５２ｂと、を連続して有する。第２端子３４を切り欠き部５２の収容部５２ａに嵌合した状態で、第２端子３４の接続片３４ｃは、収容部５２ａから外方に突出し、回路基板５１の表面に沿って延出される。
【００３３】
第２端子３４を切り欠き部５２の収容部５２ａに取り付けた状態で、板バネ部３４ａ、３４ａ、および接続板部３４ｂが収容部５２ａに嵌合し、第２端子３４が収容部５２ａ内で移動不可能な状態に保持されて回路基板５１に固定される。なお、第２端子３４は、図７に示すように第１端子３２の挿入板部３２ｂをくびれ部３４ｄに受け入れた状態で切り欠き部５２の収容部５２ａに押し込まれるため、板バネ部３４ａ、３４ａが外側にわずかに広がった状態で収容部５２ａに押し込まれる。また、第２端子３４が切り欠き部５２の収容部５２ａに嵌合した状態で、２枚の板バネ部３４ａ、３４ａの先端は、収容部５２ａと挿通部５２ｂの間の肩部５２ｃに当接する。これにより、第２端子３４に対して第１端子３２から引っ張り応力が作用した場合であっても、第２端子３４の第１端子３２方向への移動を規制することができる。
【００３４】
ここで、上述したコネクタ３０を用いて電源線３１を電源装置５の回路基板５１に接続する工程について説明する。  
まず、第１端子３２を保持しているととともに、第１端子３２の挿入板部３２ｂに取り付けた状態で第２端子３４を非接触状態で保持したコネクタ３０（図７）を電源装置５の回路基板５１に組み合わせる。つまり、第２端子３４の板バネ部３４ａ、３４ａ、および接続板部３４ｂを、回路基板５１の切り欠き部５２の収容部５２ａに嵌合させる。
【００３５】
次に、アースネジ６０をケース３６の挿通孔３６ａに挿通し、シャーシ４にねじ留めする。これにより、コネクタ３０が電源装置５と一体にシャーシ４に共締めされる。この後、切り欠き部５２の収容部５２ａからケース３６の外側へ突出した第２端子３４の接続片３４ｃを回路基板５１の表面に設けた図示しない配線パターンにはんだ付けする。はんだ５５は、回路基板５１の表面側から設けることができるため、作業性がよい。
【００３６】
そして、照明装置１００の施工時に、被取付面１からシャーシ４の図示しない孔を介して配線された電源線３１の金属芯線３１ａを、ケース３６の連通孔３６ｃを介して第１端子３２の結線部３２ａに押し込んで、電源線３１をコネクタ３０に接続する。これにより、電源線３１が第１端子３２および第２端子３４を介して回路基板５１に電気的に接続される。コネクタ３０の第１端子３２および第２端子３４は、電気的に安定した接続を維持した上で、機械的には電源線３１の配線方向に沿って互いに移動可能に接続される。
【００３７】
次に、本実施形態の効果について説明する。  
本実施形態の照明装置１００は、比較的長尺の器具であり、例えば複数台の照明装置１００を長手方向に一列につなげて被取付面１に取り付ける場合がある。この場合、各照明装置１００それぞれに被取付面１から配線した電源線３１を接続するのではなく、通常は、１台目の照明装置１００のコネクタ３０に電源線３１を接続し、この１台目の照明装置１００のコネクタ３０から隣接する２台目の照明装置１００のコネクタ３０に送り配線（電源線３１と同様のもの）を接続する。
【００３８】
このような場合、照明装置１００を被取付面１に施工する作業員は、送り配線を２台目の照明装置１００のコネクタ３０につなぐとき、送り配線が弛まないように適当な長さに切断して、２つのコネクタ３０を接続する。この際、送り配線を比較的強い力で引っ張る可能性があり、送り配線を接続したコネクタ３０に引っ張り応力が作用しやすい。また、この場合、引っ張り力は、照明装置１００の長手方向、すなわち送り配線の配線方向に沿って発生しやすい。
【００３９】
本実施形態のように、照明装置１００の本体１０に電源装置５とコネクタ３０を取り付けて両者をコードレスでつなぐ場合、配線を省略したことでコストを安くできる反面、施工時に送り配線を介してコネクタ３０に作用する引っ張り応力が電源装置５の回路基板５１に伝わりやすい。このように、回路基板５１に応力が作用すると、回路基板５１側の接続端子のはんだ固定部にはんだ割れや剥離を生じ、接続不良を生じる不具合が考えられる。
【００４０】
よって、本実施形態では、コネクタ３０を照明装置１００の本体１０のシャーシ４に締結固定することで上述した引っ張り応力を吸収させ、その上で、コネクタ３０の電源線３１側の第１端子３２と回路基板５１側の第２端子３４を電源線３１の配線方向に沿って摺動可能に構成した。これにより、電源線３１（或いは送り配線）を介してコネクタ３０に引っ張り応力が作用したとき、シャーシ４において吸収しきれなかった引っ張り応力がコネクタ３０の第１および第２端子３２、３４に作用したとしても、第１および第２端子３２、３４を介して回路基板５１のはんだ５５に応力が伝わる不具合を防止することができる。
【００４１】
以上のように、本実施形態のコネクタ３０を用いると、電源線３１の回路基板５１に対する接続構造を簡略化することができ、電源端子台を省略して両者の間の配線を無くすことができ、その分、照明装置１００の製造コストを安くすることができる。また、本実施形態によると、電源端子台を省略することができるため、電源端子台と電源装置５の回路基板５１との間の配線も不要となり、照明装置１００の被取付面１に対する施工を容易にすることができ、作業負担を軽減することができる。
【００４２】
なお、上述した本実施形態の効果を奏するため、コネクタ３０の第１端子３２と第２端子３４の電気的な接続を安定させた上で、第１端子３２と第２端子３４の機械的な接続を比較的弱くすることが望ましい。つまり、機械的接続を弱くすることで、第１端子３２と第２端子３４の間の摺動摩擦をできるだけ小さくして、第１端子３２が引っ張られたときに第２端子３４に引っ張り応力が伝わらないようにすることが望ましい。このため、本実施形態では、第１端子３２の挿入板部３２ｂを平らな板状に形成して、第２端子３４の板バネ部３４ａ、３４ａとの間の十分な接触面積を確保することで電気的に安定した接続状態を確保し、板バネ部３４ａ、３４ａが挿入板部３２ｂを挟む力（バネ定数）を第２端子３４が第１端子３２から脱落しない必要最小限の値に設定した。
【００４３】
また、本実施形態によると、コネクタ３０の第１端子３２の挿入板部３２ｂを回路基板５１と直交し且つ電源線３１の配線方向に沿って延設したため、コネクタ３０に作用する引っ張り応力を効果的に逃がすことができる。つまり、上述したように複数台の照明装置１００を長手方向につなげて施行する場合、電源線３１や送り配線は長手方向に沿った被取付面１と垂直な面に沿って引っ張られる。このため、この面に沿って挿入板部３２ｂを配置することで、引っ張り応力が生じた方向に挿入板部３２ｂを移動させやすい。
【００４４】
また、本実施形態によると、コネクタ３０の第２端子３４を取り付ける回路基板５１の切り欠き部５２の収容部５２ａが、コネクタ３０の第２端子３４の板バネ部３４ａ、３４ａの先端を突き当てる肩部５２ｃを有する。このため、仮に、コネクタ３０の第１端子３２を介して第２端子３４に引っ張り応力が作用した場合であっても、回路基板５１側の肩部５２ｃが第２端子３４の引っ張り方向への移動を規制するため、第２端子３４が動くことがなく、はんだ５５に応力が作用する不具合を防止することができる。なお、このような効果は、本実施形態のように、コネクタ３０の第２端子３４を回路基板５１の材厚の中に実装することで実現される。
【００４５】
また、本実施形態によると、コネクタ３０をシャーシ４に締結固定するアースネジ６０により、電源装置５の筐体（底壁５０）をシャーシ４に共締めすることができ、部品点数を削減することができる。つまり、１本のアースネジ６０により、電源装置５およびコネクタ３０のシャーシ４への取り付け、および電源装置５およびコネクタ３０の接地が可能となっている。また、電源装置５やコネクタ３０の取り付けに使用するネジの本数を少なくすることで、ネジの配置スペースを小さくでき、ネジとの間の絶縁距離を確保する必要もなくなり、省スペース化を実現することができる。
【００４６】
さらに、本実施形態によると、照明装置１００の本体１０の灯体２０側から、アースネジ６０の取り付け作業、および接続片３４ｃの回路基板５１へのはんだ付け作業を実施することができ、作業性を良好にすることができ、作業員による作業負担を軽減することができる。また、本実施形態によると、作業員は、回路基板５１に対するコネクタ３０の接続強度を気にすることなく、電源線３１や送り配線のコネクタ３０への接続作業を実施することができ、作業員による個人差のない安定した確実な施工が可能となり、接続の信頼性を高めることができる。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４８】
例えば、上述した実施形態では、本発明を比較的長尺なベースライトに適用した場合について説明したが、これに限らず、直管型照明器具、ダウンライト、誘導灯などに本発明を適用することができる。
【００４９】
また、上述した実施形態では、電源線３１を電源装置５に接続するコネクタ３０に本発明を適用した場合について説明したが、これに限らず、例えば、調光線を接続するコネクタに本発明を適用することもできる。
【００５０】
また、上述した実施形態では、コネクタ３０の電源線３１側の第１端子３２に挿入板部３２ｂを設けて回路基板５１側の第２端子３４に板バネ部３４ａ、３４ａを設けた場合について説明したが、これに限らず、板バネ部を第１端子３２に設けて挿入板部を第２端子３４に設けてもよい。また、上述した実施形態では、第１端子３２の挿入板部３２ｂを回路基板５１と直交する面に沿って延設したが、これに限らず、回路基板５１と平行に挿入板部３２ｂを延設してもよい。
【００５１】
さらに、上述した実施形態では、コネクタ３０のケース３６を貫通する挿通孔３６ａにアースネジ６０を挿通して、シャーシ４にコネクタ３０を締結固定した場合について説明したが、これに限らず、コネクタ３０のケース３６を外側から覆うカバーを設けて、このカバーをシャーシ４に固定するようにしてもよい。この場合、ケース３６を貫通したネジを設ける必要がないため、ネジとの間の絶縁距離を設けて端子金具を配置する必要がなく、コネクタ自体を小型化することができる。
【符号の説明】
【００５２】
１…被取付面、４…シャーシ、５…電源装置、１０…本体、２０…灯体、３０…コネクタ、３１…電源線、３１ａ…金属芯線、３２…第１端子、３２ａ…結線部、３２ｂ…挿入板部、３４…第２端子、３４ａ…板バネ部、３４ｃ…接続片、３６…ケース、３７…凹部、５０…底壁、５１…回路基板、５２…切り欠き部、５２ａ…収容部、５２ｂ…挿通部、５２ｃ…肩部、６０…アースネジ、１００…照明装置。
【図１】
2019061815.tif 000003
【図２】
2019061815.tif 000004
【図３】
2019061815.tif 000005
【図４】
2019061815.tif 000006
【図５】
2019061815.tif 000007
【図６】
2019061815.tif 000008
【図７】
2019061815.tif 000009